(57)【特許請求の範囲】
【請求項１】
入力される、数フレーム分のデータを圧縮符号化してなる圧縮データを複数含むと共に上記フレームの同期データを含んだ所定のフオーマツトでなるデータ信号を復号するデータ復号装置において、
上記データ信号に含まれる上記同期データに基づきフレームサイクル信号を生成すると共に、上記圧縮データの長さを検出して上記圧縮データの開始時点から終了時点までの区間を示す区間信号を生成するデータ信号復号部と、
上記圧縮データを記録するメモリと、
上記フレームサイクル信号及び上記区間信号に基づき上記メモリに対する上記圧縮データの書き込み及び読み出しを制御するメモリ制御部と、
上記メモリから読み出された上記圧縮データを復号する圧縮データ復号部と
を具え、
上記メモリ制御部は、
上記圧縮データの入力時のレートが上記圧縮データ復号部での復号処理速度に応じたレートを越える場合、上記データ信号に含まれる複数の圧縮データのうちの一の圧縮データを上記メモリに書き込む際に、上記フレームサイクル信号及び上記区間信号に基づき、当該書き込む一の圧縮データの開始時点から当該書き込む一の圧縮データに含まれるフレーム分のサイクルが経過するまでの間に開始時点が含まれる、当該書き込む一の圧縮データより後の圧縮データは上記メモリに書き込まないようにする
ことを特徴とするデータ復号装置。
【請求項２】
上記圧縮データを切り捨てるためのスイツチを具え、
上記メモリ制御部は、
上記圧縮データの入力時のレートが上記圧縮データ復号部での復号処理速度に応じたレートを越える場合、上記データ信号に含まれる複数の圧縮データのうちの一の圧縮データを上記メモリに書き込む際に、上記フレームサイクル信号及び上記区間信号に基づき、当該書き込む一の圧縮データの開始時点から当該書き込む一の圧縮データに含まれるフレーム分のサイクルが経過するまでの間に開始時点が含まれる、当該書き込む一の圧縮データより後の圧縮データを上記メモリに書き込まないように上記スイツチにより切り捨てる
ことを特徴とする請求項１に記載のデータ復号装置。
【請求項３】
上記圧縮データは、
フレーム間符号化データとフレーム内符号化データとでなり、
上記メモリ制御部は、
上記圧縮データ復号部で上記フレーム間符号化データを復号した結果得られる復号信号と、上記フレーム内符号化データを復号した結果得られる復号信号のうちの、当該フレーム内符号化データを復号した結果得られる復号信号のみを出力する
ことを特徴とする請求項１に記載のデータ復号装置。
【請求項４】
上記メモリ制御部は、
上記フレーム内符号化データを復号した結果得られる復号信号を、次の圧縮データの上記フレーム内符号化データに対応する復号信号が得られるまで、繰り返し出力する
ことを特徴とする請求項３に記載のデータ復号装置。
【発明の詳細な説明】
【０００１】
【目次】
以下の順序で本発明を説明する。
発明の属する技術分野
従来の技術
発明が解決しようとする課題
課題を解決するための手段
発明の実施の形態
（１）サーバシステムの全体構成（図１）
（２）１倍速転送時の復号処理（図２及び図３）
（３）２倍速転送時の復号処理（図２及び図４）
（４） 0.5倍速転送時の復号処理（図２及び図５）
（５）非同期転送時の復号処理（図２及び図６）
（６）実施例の動作及び効果
（７）他の実施例
発明の効果
【０００２】
【発明の属する技術分野】
本発明はデータ復号装置に関し、異なる種々の転送レートで転送されたデータを所定のレートで復号するデータ復号装置に適用して好適なものである。
【０００３】
【従来の技術】
従来、例えばＭＰＥＧ(Moving Picture Experts Group)規格のようなフレーム間予測符号化の手法を用いて圧縮された映像データを記録した光磁気デイスク等の記録媒体から他の記録媒体にデータを複写する装置においては、例えば１倍速を越える転送レートで当該圧縮映像データを転送し、これを所定の記録密度で記録するようになされている。
【０００４】
この種の装置においては複写中の映像を所定の復号装置を用いて圧縮復号することによりモニタするようになされている。
【０００５】
【発明が解決しようとする課題】
ところでかかる復号装置を用いて複写中の圧縮映像データを復号し、これをモニタしようとする場合、当該復号装置は決まつたレート（１倍速）で復号処理を行うようになされていることから、１倍速よりも高速で複写が行われている場合、当該復号装置において処理が間に合わず、モニタ画像が劣化することを避け得ない問題があつた。
【０００６】
また１倍速よりも低速で到来する映像データを復号してモニタする場合、１倍速で処理する復号装置においてデータが存在しない区間が生じることにより、モニタ画像が劣化することを避け得ない問題があつた。
【０００７】
本発明は以上の点を考慮してなされたもので、種々の転送レートで転送されるデータを所定の処理速度で復号処理し得るデータ復号装置を提案しようとするものである。
【０００８】
【課題を解決するための手段】
かかる課題を解決するため本発明においては、入力される、数フレーム分のデータを圧縮符号化してなる圧縮データを複数含むと共にフレームの同期データを含んだ所定のフオーマツトでなるデータ信号を復号するデータ復号装置において、データ信号に含まれる同期データに基づきフレームサイクル信号を生成すると共に、圧縮データの長さを検出して圧縮データの開始時点から終了時点までの区間を示す区間信号を生成するデータ信号復号部と、圧縮データを記録するメモリと、フレームサイクル信号及び区間信号に基づきメモリに対する圧縮データの書き込み及び読み出しを制御するメモリ制御部と、メモリから読み出された圧縮データを復号する圧縮データ復号部とを設け、メモリ制御部が、圧縮データの入力時のレートが圧縮データ復号部での復号処理速度に応じたレートを越える場合、データ信号に含まれる複数の圧縮データのうちの一の圧縮データをメモリに書き込む際に、フレームサイクル信号及び区間信号に基づき、当該書き込む一の圧縮データの開始時点から当該書き込む一の圧縮データに含まれるフレーム分のサイクルが経過するまでの間に開始時点が含まれる、当該書き込む一の圧縮データより後の圧縮データはメモリに書き込まないようにした。
【０００９】
このように、入力されるデータ信号からフレームサイクル信号及び区間信号を生成して、データ信号に含まれる圧縮データの入力時のレートが復号側での復号処理速度に応じたレートを越える場合、データ信号に含まれる複数の圧縮データのうちの一の圧縮データをメモリに書き込む際に、フレームサイクル信号及び区間信号に基づき、当該書き込む一の圧縮データの開始時点から当該書き込む一の圧縮データに含まれるフレーム分のサイクルが経過するまでの間に開始時点が含まれる、当該書き込む一の圧縮データより後の圧縮データはメモリに書き込まないようにした。この結果、データ信号に含まれる圧縮データの入力時のレートが復号側での復号処理速度に応じたレートを越える場合でも、メモリに書き込んだ圧縮データを復号側での復号処理速度に応じたレートで復号側に入力して復号処理させることができるので、一段と確実に復号処理を損なうことなく復号側での復号処理速度に合ったレートで圧縮データを復号することができる。
【００１０】
【発明の実施の形態】
以下図面について、本発明の一実施例を詳述する。
【００１１】
（１）サーバシステムの全体構成
図１において１０は全体としてサーバシステムを示し、光磁気デイスク１１を光磁気デイスク記録再生装置（ＭＯＤ）１２によつて再生することにより、光磁気デイスク１１に記録されている圧縮映像データをＳＤＤＩ(Serial Digital Data Interface) フオーマツトの再生圧縮映像信号Ｓ１２としてスイツチヤ１６の入力切換部１６Ａに高速転送する。
【００１２】
また所定の入力端Ｔ１１を介して入力されるＳＤＩ(Serial Digital Interface)フオーマツトのコンポーネント映像信号ＳSDI は、エンコーダ１３においてＳＤＤＩフオーマツトに変換されるとともにＭＰＥＧ等の手法を用いて圧縮され、圧縮映像信号Ｓ１３として入力切換部１６Ａに１倍速で転送される。
【００１３】
またサーバシステム１０から離れた場所でＶＴＲ（ビデオテープレコーダ）１４からＩＳＤＮ(Integrated Services Digital Network) の回線を用いて低速転送された圧縮映像信号Ｓ１４は変換部１５においてＳＤＤＩフオーマツトに変換された後、変換出力信号Ｓ１５として入力切換部１６Ａに低速のまま入力される。
【００１４】
スイツチヤ１６は入力切換部１６Ａに入力された各系統からのＳＤＤＩフオーマツトの圧縮映像信号Ｓ１２、Ｓ１３又はＳ１５をユーザ等の指定によつて選択し、当該選択された信号（Ｓ１６ＡA 、Ｓ１６ＡB 、……、Ｓ１６Ａn ）を、光磁気（ＭＯ）デイスクチエンジヤ１８内に設けられた複数の光磁気デイスク装置（図示せず）のなかからユーザの選択によつて指定された所定の光磁気デイスク装置にそれぞれの転送レートのまま入力する。このとき当該光磁気デイスク装置は入力された信号の転送レートに関わらず決められた記録密度で当該入力信号（圧縮映像データ）を記録する。
【００１５】
また光磁気デイスクチエンジヤ１８は、ユーザによつて選択された光磁気デイスク装置から圧縮映像データを再生し、これをユーザによつて指定された出力切換部１６Ｂの出力端から再生圧縮映像信号（Ｓ１６ＢA 、Ｓ１６ＢB 、……、Ｓ１６Ｂn ）として他のサーバシステム、又は他の記録再生装置等に出力する。
【００１６】
ここでスイツチヤ１６の切換入力部１６Ａに入力された各系統（ＭＯＤ１２、エンコーダ１３又は変換部１５）からの圧縮映像信号Ｓ１２、Ｓ１３又はＳ１４のうち、切換入力部１６Ａにおいて光磁気デイスクチエンジヤ１８への記録が選択指定された所定の信号は、光磁気デイスクチエンジヤ１８側に送出されるとともにそれぞれの転送レートのままスイツチヤ１６からモニタ出力信号Ｓ１６Ｍとしてデータ復号装置２１に送出される。
【００１７】
データ復号装置２１は、スイツチヤ１６の切換入力部１６Ａにおいて選択された圧縮映像信号Ｓ１２、Ｓ１３又はＳ１４が入力されると、各圧縮映像信号Ｓ１２、Ｓ１３又はＳ１４の転送レートに応じてデータの圧縮復号を行い、当該復号されてなる復号映像信号Ｓ３９をモニタ２２に送出することによりモニタ２２の表示画面に転送中の映像をモニタ表示する。
【００１８】
因みに各系統から入力される圧縮映像信号Ｓ１２、Ｓ１３又はＳ１４（すなわちスイツチヤ１６からモニタ用として出力されるモニタ出力信号Ｓ１６Ｍ）は、ＭＰＥＧ規格の手法によつてデータ圧縮されている。この実施例の場合、２フレーム分の画像データを１つのデータ単位（以下これをＧＯＰ(Group Of Pictures) と呼ぶ）とし、この１つのＧＯＰは、フレーム間予測を使わず入力信号をそのままフレーム内符号化してなるＩ(Intra-coded) ピクチヤと、フレーム間の双方向予測によつて形成されるＢ(Bidirectionally predictive-coded)ピクチヤとを含む。
【００１９】
（２）１倍速転送時の復号処理
図１においてエンコーダ１３を介してスイツチヤ１６に入力された圧縮映像信号Ｓ１３は１倍速の転送レートで転送される。この場合、２フレーム分の画像データを圧縮してなる１つのＧＯＰデータは２フレーム区間内に１回だけ転送される。この１倍速転送レートで転送される圧縮映像信号Ｓ１３をモニタ出力信号Ｓ１６Ｍとしてデータ復号装置２１に送出する場合について説明する。
【００２０】
すなわち図２に示すように、データ復号装置２１はＧＯＰ単位で構成されたＳＤＤＩフオーマツトのモニタ出力信号Ｓ１６ＭをＳＤＤＩ復号回路３１に入力する。ＳＤＤＩ復号回路３１は、モニタ出力信号Ｓ１６ＭのＳＤＤＩフオーマツトデータの同期データ（フレームパルス）に基づいて各フレームごとに変化するパルス状のフレームサイクル信号ＳF を生成する。このフレームサイクル信号ＳF は、図３（Ａ）に示すようにモニタ出力信号Ｓ１６Ｍとして入力されたＳＤＤＩフオーマツトデータの各フレームの先頭のタイミングｔ１１、ｔ１３、ｔ１４、ｔ１６、ｔ１７、ｔ１９、……）で立ち上がる矩形波形状のパルス波形となる。このフレームサイクル信号ＳF は、メモリ制御回路３４（図２）に送出される。
【００２１】
またＳＤＤＩ復号回路３１は、モニタ出力信号Ｓ１６ＭをＳＤＤＩ復号することにより、図３（Ｂ）に示すように、２フレーム分の圧縮映像データＳD （Ｉピクチヤ及びＢピクチヤ）をそれぞれ含む複数のＧＯＰデータ（ＧＯＰ１、ＧＯＰ２、ＧＯＰ３……）を２フレームに１回のタイミング（ｔ１１、ｔ１４、ｔ１７、……）でスイツチ回路３２に送出する。
【００２２】
またＳＤＤＩ復号回路３１は、モニタ出力信号Ｓ１６Ｍとして入力されたＳＤＤＩフオーマツトの圧縮データのうち、圧縮された映像データが設けられるペイロード領域から有効映像データの長さ（すなわちＧＯＰの開始と終了）を検出し、各ＧＯＰデータの開始から終了まで矩形状に立ち上がる区間信号ＳVINT（図３（Ｃ））を得る。この区間信号ＳVINTはメモリ制御回路３４（図２）に送出される。
【００２３】
メモリ制御回路３４は、区間信号ＳVINT（図３（Ｃ））の立ち下がり時点からフレームサイクル信号ＳF （図３（Ａ））の立ち上がりを２回検出する時点までの間、論理「Ｈ」レベルに立ち上がるスイツチ制御信号Ｓ３４Ａ（図３（Ｄ））を生成する。この結果当該スイツチ制御信号Ｓ３４Ａは、２フレームに１回のタイミング（１倍速）でＳＤＤＩ復号回路３１から送出される圧縮映像データＳD の例えば第１のＧＯＰデータＧＯＰ１がスイツチ回路３２に入力される時点ｔ１１〜ｔ１２において論理「Ｌ」レベルに立ち下がるとともに、当該ＧＯＰ１が終了する時点ｔ１２から第２のＧＯＰデータＧＯＰ２がスイツチ回路３２に入力される時点ｔ１４までの間において論理「Ｈ」レベルに立ち上がる。
【００２４】
このスイツチ制御信号Ｓ３４Ａはスイツチ回路３２の開閉制御信号として送出される。スイツチ回路３２は、スイツチ制御信号Ｓ３４Ａが論理「Ｈ」レベルに立ち上がつているとき開動作し、論理「Ｌ」レベルに立ち下がつているとき閉動作する。従つて例えば当該スイツチ制御信号Ｓ３４Ａが時点ｔ１１〜ｔ１２の間において論理「Ｌ」レベルに立ち下がると、これに応じてスイツチ回路３２が閉動作することにより当該タイミングにおいて入力される圧縮映像データＳD の第１のＧＯＰデータＧＯＰ１は続く切換回路３３に送出される。
【００２５】
ここでメモリ制御回路３４は、区間信号ＳVINT（図３（Ｃ））の立ち上がり及びスイツチ回路３２に対するスイツチ制御信号Ｓ３４Ａ（図３（Ｄ））の論理「Ｌ」レベル状態を検出することによつて論理レベルが反転する切換制御信号Ｓ３４Ｂ（図３（Ｅ））を生成し、これを切換回路３３に送出する。
【００２６】
従つて切換回路３３は、圧縮映像データＳD の各ＧＯＰデータ（ＧＯＰ１、ＧＯＰ２、ＧＯＰ３、……）の開始とスイツチ回路３２の閉動作との成立をトリガとして出力端（第１の切換端３３ａ及び第２の切換端３３ｂ）を切り換える。この結果例えば、時点ｔ１１においてスイツチ回路３２が閉動作することによつて切換回路３３に第１のＧＯＰデータＧＯＰ１が入力されるとき、当該ＧＯＰデータＧＯＰ１が入力開始するタイミング（時点ｔ１１）において切換回路３３が第１の切換端３３ａに切り換わり、これにより第１のＧＯＰデータＧＯＰ１は第１のＧＯＰメモリ３５に送出される。
【００２７】
これに対して第２のＧＯＰデータＧＯＰ２が切換回路３３に入力されると、当該ＧＯＰ２の入力開始のタイミング（時点ｔ１４）において切換回路３３は第２の切換端３３ｂに切り換わり、これにより第２のＧＯＰデータＧＯＰ２は第２のＧＯＰメモリ３６に送出される。
【００２８】
またメモリ制御回路３４は、切換回路３３の切換制御信号Ｓ３４Ｂ（図３（Ｅ））が立ち上がるタイミングから区間信号ＳVINT（図３（Ｃ））が立ち下がるタイミングまでの間、論理「Ｈ」レベルに立ち上がる書込み許可信号Ｓ３４Ｃ（図３（Ｆ））をＧＯＰメモリ３５に送出する。従つて例えば、時点ｔ１１において切換回路３３の切換制御信号Ｓ３４Ｂが論理「Ｈ」レベルに立ち上がることによつて第１のＧＯＰデータＧＯＰ１がＧＯＰメモリ３５に入力されてから、区間信号ＳVINTが論理「Ｌ」レベルに立ち下がつてＧＯＰ１のデータが終了する時点ｔ１２までの間、書込み許可信号Ｓ３４ＣがＧＯＰメモリ３５へのデータ（ＧＯＰ１）の書込みを許可する。
【００２９】
これに対してメモリ制御回路３４は、切換回路３３の切換制御信号Ｓ３４Ｂ（図３（Ｅ））が立ち下がるタイミングから区間信号ＳVINT（図３（Ｃ））が立ち下がるタイミングまでの間、論理「Ｈ」レベルに立ち上がる書込み許可信号Ｓ３４Ｄ（図３（Ｇ））を生成し、これをＧＯＰメモリ３６に送出する。従つて例えば時点ｔ１４において切換回路３３の切換制御信号Ｓ３４Ｂ（図３（Ｅ））が論理「Ｌ」レベルに立ち下がることによつて第２のＧＯＰデータＧＯＰ２がＧＯＰメモリ３６に入力されてから、区間信号ＳVINT（図３（Ｃ））が論理「Ｌ」レベルに立ち下がつてＧＯＰ２のデータが終了する時点ｔ１５までの間、書込み許可信号Ｓ３４ＤがＧＯＰメモリ３６へのデータ（ＧＯＰ２）の書込みを許可する。
【００３０】
ＧＯＰメモリ３５に書き込まれたＧＯＰデータ（ＧＯＰ１、ＧＯＰ３、ＧＯＰ５、……）は、メモリ制御回路３４から送出される読出し許可信号Ｓ３４Ｅ（図２）によつて、書込み時のフレーム区間の次に到来するフレーム区間の先頭を読出し開始のタイミングとして読み出される。例えば第１のＧＯＰデータＧＯＰ１が第１のフレーム区間（時点ｔ１１〜ｔ１３）内においてＧＯＰメモリ３５に書き込まれると、当該第１のフレーム区間に続く第２のフレーム（時点ｔ１３〜ｔ１４）の先頭（時点ｔ１３）のタイミングを読出し開始時点としてＧＯＰメモリ３５内のＧＯＰデータＧＯＰ１が読み出され、読出しデータＳ３５（図３（Ｈ））として切換回路３７の第１の切換端３７ａに送出される。
【００３１】
この読出しデータＳ３５においては、図３（Ｈ）に示すように、元々２フレーム分の画像データが圧縮されてなる１つのＧＯＰデータ内の各データを、間欠に送出することにより、２つのフレーム区間（例えば時点ｔ１３〜ｔ１６）を使つて１つのＧＯＰデータが切換回路３７に送出される。
【００３２】
これに対してＧＯＰメモリ３６に書き込まれたＧＯＰデータ（ＧＯＰ２、ＧＯＰ４、……）は、メモリ制御回路３４から送出される読出し許可信号Ｓ３４Ｆ（図２）によつて、書込み時のフレーム区間の次に到来するフレーム区間の先頭を読出し開始のタイミングとして読み出される。例えば第２のＧＯＰデータＧＯＰ２が第３のフレーム区間（時点ｔ１４〜ｔ１６）内においてＧＯＰメモリ３６に書き込まれると、当該第３のフレーム区間に続く第４のフレーム（時点ｔ１６〜ｔ１７）の先頭（時点ｔ１６）のタイミングを読出し開始時点としてＧＯＰメモリ３６内のＧＯＰデータＧＯＰ２が読み出され、読出しデータＳ３６（図３（Ｉ））として切換回路３７の第２の切換端３７ｂに送出される。
【００３３】
この読出しデータＳ３６は、図３（Ｉ）に示すように、元々２フレーム分の画像データが圧縮されてなる１つのＧＯＰデータ内の各データを、間欠に送出することにより、２つのフレーム区間（例えば時点ｔ１６〜ｔ１９）を使つて１つのＧＯＰデータが切換回路３７に送出される。
【００３４】
メモリ制御回路３４は、切換回路３３に対する切換制御信号Ｓ３４Ｂ（図３（Ｅ））を１フレーム分遅延させることによつて切換回路３７に対する切換制御信号Ｓ３４Ｇ（図３（Ｊ））を生成する。切換回路３７は、切換制御信号Ｓ３４Ｇが論理「Ｈ」レベルに立ち上がる間、第１の切換端３７ａ側に切り換わり、論理「Ｌ」レベルに立ち下がる間、第２の切換端３７ｂ側に切り換わる。
【００３５】
従つてＧＯＰメモリ３５から送出される読出しデータＳ３５（ＧＯＰ１、ＧＯＰ３、ＧＯＰ５、……）及びＧＯＰメモリ３６から送出される読出しデータＳ３６（ＧＯＰ２、ＧＯＰ４、……）は、切換回路３７によつて順次切り換えられながら出力される。この結果当該切換出力データ信号Ｓ３７としては図３（Ｋ）に示すように、時点ｔ１３〜ｔ１６までの２フレーム区間で第１のＧＯＰデータＧＯＰ１が出力され、これに続く時点ｔ１６〜ｔ１９までの２フレーム区間で第２のＧＯＰデータＧＯＰ２が出力される。以後第３のＧＯＰデータＧＯＰ３、第４のＧＯＰデータＧＯＰ４、……がそれぞれ２フレーム区間を使つて順次出力される。
【００３６】
因みに切換回路３７から切換出力データ信号Ｓ３７として出力される各ＧＯＰデータ（ＧＯＰ１、ＧＯＰ２、ＧＯＰ３、……）は圧縮復号前のデータであり、２フレーム分のデータが１フレーム以下のデータ量に圧縮されている。従つて当該切換出力データ信号Ｓ３７は、読出しデータＳ３５及びＳ３６について上述したように、ＧＯＰメモリ３５及び３６から出力される時点でＧＯＰデータ内の各データが間欠に出力され、これにより２フレーム区間を使つて１つのＧＯＰデータが出力されるようになされている。
【００３７】
切換回路３７から出力される切換出力データ信号Ｓ３７は、続く復号器３８に送出される。この復号器３８は切換出力データ信号Ｓ３７として入力される各ＧＯＰデータ（図３（Ｋ））を１倍速で圧縮復号処理する。圧縮復号処理としては、ＩＤＣＴ処理、可変長復号処理等がある。
【００３８】
ここで復号器３８において切換出力データ信号Ｓ３７を圧縮復号する場合、図３（Ｋ）に示す切換出力データ信号Ｓ３７の各ＧＯＰデータ内のＢピクチヤは前後のＩピクチヤを用いて復号される。例えば、第１のＧＯＰデータＧＯＰ１のなかのＢピクチヤ（時点ｔ１４〜ｔ１６）は前後のＩピクチヤ（すなわちＧＯＰ１のＩピクチヤ及びＧＯＰ２のＩピクチヤ）を用いて復号される。また復号処理によつて各ＧＯＰデータ（ＧＯＰ１、ＧＯＰ２、ＧＯＰ３、……）のＩピクチヤ及びＢピチクヤの順序が入れ代わる。これにより、図３（Ｌ）に示すように時点ｔ１４〜ｔ１６の１フレーム区間で第１のＧＯＰデータＧＯＰ１のＢピクチヤが復号されて復号器３８から出力されるとともに、続く１フレーム区間（時点ｔ１６〜ｔ１７）で当該第１のＧＯＰデータＧＯＰ１のＩピクチヤが復号されて出力される。以後第２のＧＯＰデータＧＯＰ２、第３のＧＯＰデータＧＯＰ３、……の各データも同様にして復号され、復号映像信号Ｓ３８として続くフレームメモリ３９に送出される。
【００３９】
フレームメモリ３９はメモリ制御回路３４から送出されるメモリ書込み制御信号Ｓ３４Ｈに基づいて復号映像信号Ｓ３８を順次そのまま書き込んだ後、スチツチヤ１６（図１）から送出される基準信号ＳREF に基づいてフレームメモリ読出し制御回路４０から出力される矩形波状の基準フレーム信号Ｓ４０（図３（Ｎ））のタイミングでこれを出力する。この結果図３（Ｍ）に示すように、フレームメモリ３９に入力された復号映像信号Ｓ３８（図３（Ｌ））はスイツチヤ１６（図１）全体を制御する基準信号ＳREF のタイミングに同期して読み出され、復号映像信号Ｓ３９として続くモニタ２２（図１）に送出される。
かくしてモニタ２２には、光磁気デイスクチエンジヤ１８に１倍速で転送中の映像が表示される。
【００４０】
（３）２倍速転送時の復号処理
図１において光磁気デイスク記録再生装置１２から再生された圧縮映像信号Ｓ１２は２倍速の転送レートで高速転送される。この場合、２フレーム分の画像データを圧縮してなる１つのＧＯＰデータは１フレーム区間内に１回転送される。この２倍速転送レートで転送される圧縮映像信号Ｓ１２をモニタ出力信号Ｓ１６Ｍとしてデータ復号装置２１に送出する場合について説明する。
【００４１】
すなわち図２に示すように、データ復号装置２１はＧＯＰ単位で構成されたＳＤＤＩフオーマツトのモニタ出力信号Ｓ１６ＭをＳＤＤＩ復号回路３１に入力する。ＳＤＤＩ復号回路３１は、モニタ出力信号Ｓ１６ＭのＳＤＤＩフオーマツトデータの同期データ（フレームパルス）に基づいて各フレームごとに変化するパルス状のフレームサイクル信号ＳF を生成する。このフレームサイクル信号ＳF は、図４（Ａ）に示すようにモニタ出力信号Ｓ１６Ｍとして入力されたＳＤＤＩフオーマツトデータの各フレームの先頭のタイミングｔ３１、ｔ３３、ｔ３５、ｔ３７、ｔ３９、ｔ４１、……）で立ち上がる矩形波形状のパルス波形となる。このフレームサイクル信号ＳF は、メモリ制御回路３４（図２）に送出される。
【００４２】
またＳＤＤＩ復号回路３１は、モニタ出力信号Ｓ１６ＭをＳＤＤＩ復号することにより、図４（Ｂ）に示すように、２フレーム分の圧縮映像データＳD （Ｉピクチヤ及びＢピクチヤ）をそれぞれ含む複数のＧＯＰデータ（ＧＯＰ１、ＧＯＰ２、ＧＯＰ３……）を１フレームに１回のタイミング（ｔ３１、ｔ３３、ｔ３５、……）でスイツチ回路３２に送出する。
【００４３】
またＳＤＤＩ復号回路３１は、モニタ出力信号Ｓ１６Ｍとして入力されたＳＤＤＩフオーマツトの圧縮データのうち、圧縮された映像データが設けられるペイロード領域から有効映像データの長さ（すなわちＧＯＰの開始と終了）を検出し、各ＧＯＰデータの開始から終了まで矩形状に立ち上がる区間信号ＳVINT（図４（Ｃ））を得る。この区間信号ＳVINTはメモリ制御回路３４（図２）に送出される。
【００４４】
メモリ制御回路３４は、区間信号ＳVINT（図４（Ｃ））の立ち下がり時点からフレームサイクル信号ＳF （図４（Ａ））の立ち上がりを２回検出する時点までの間、論理「Ｈ」レベルに立ち上がるスイツチ制御信号Ｓ３４Ａ（図４（Ｄ））を生成する。この結果当該スイツチ制御信号Ｓ３４Ａは、１フレームに１回のタイミング（２倍速）でＳＤＤＩ復号回路３１から送出される圧縮映像データＳD の例えば第１のＧＯＰデータＧＯＰ１がスイツチ回路３２に入力される第１のフレーム区間内の時点ｔ３１〜ｔ３２において論理「Ｌ」レベルに立ち下がるとともに、当該ＧＯＰデータＧＯＰ１が終了する時点ｔ３２から第３のＧＯＰデータＧＯＰ３がスイツチ回路３２に入力される時点ｔ３５までの間において論理「Ｈ」レベルに立ち上がる。
【００４５】
このスイツチ制御信号Ｓ３４Ａはスイツチ回路３２の開閉制御信号として送出される。スイツチ回路３２は、スイツチ制御信号Ｓ３４Ａが論理「Ｈ」レベルに立ち上がつているとき開動作し、論理「Ｌ」レベルに立ち下がつているとき閉動作する。従つて例えば当該スイツチ制御信号Ｓ３４Ａが時点ｔ３１〜ｔ３２の間において論理「Ｌ」レベルに立ち下がると、これに応じてスイツチ回路３２が閉動作することにより当該タイミングにおいて入力される圧縮映像データＳD の第１のＧＯＰデータＧＯＰ１は続く切換回路３３に送出される。
【００４６】
これに対して当該第１のＧＯＰデータＧＯＰ１に続く第２のＧＯＰデータＧＯＰ２がスイツチ回路３２に入力される第２のフレーム区間内の時点ｔ３３〜ｔ３４においては、スイツチ回路３２はスイツチ制御信号Ｓ３４Ａが論理「Ｈ」レベルに立ち上がつて開動作していることにより、当該第２のＧＯＰデータＧＯＰ２を出力停止状態にする。
従つて一連のＧＯＰデータ（ＧＯＰ１、ＧＯＰ２、ＧＯＰ３、……）のうち、１つおきのＧＯＰデータ（ＧＯＰ２、ＧＯＰ４、……）が間引かれることにより、スイツチ回路３２からは、１つおきのＧＯＰデータＧＯＰ１、ＧＯＰ３、ＧＯＰ５、……が２フレームに１回（１倍速）のタイミングで順次切換回路３３に送出される。
【００４７】
ここでメモリ制御回路３４は、区間信号ＳVINT（図４（Ｃ））の立ち上がり及びスイツチ回路３２に対するスイツチ制御信号Ｓ３４Ａ（図４（Ｄ））の論理「Ｌ」レベル状態を検出することによつて論理レベルが反転する切換制御信号Ｓ３４Ｂ（図４（Ｅ））を生成し、これを切換回路３３に送出する。
【００４８】
従つて切換回路３３は、スイツチ回路３２から出力される圧縮映像データＳD の各ＧＯＰデータ（ＧＯＰ１、ＧＯＰ３、ＧＯＰ５、……）の開始とスイツチ回路３２の閉動作との成立をトリガとして出力端（第１の切換端３３ａ及び第２の切換端３３ｂ）を切り換える。この結果例えば、時点ｔ３１においてスイツチ回路３２が閉動作することによつて切換回路３３に第１のＧＯＰデータＧＯＰ１が入力されるとき、当該ＧＯＰデータＧＯＰ１が入力開始するタイミング（時点ｔ３１）において切換回路３３が第１の切換端３３ａに切り換わり、これにより第１のＧＯＰデータＧＯＰ１は第１のＧＯＰメモリ３５に送出される。
【００４９】
これに対して第３のＧＯＰデータＧＯＰ３が切換回路３３に入力されると、当該ＧＯＰデータＧＯＰ３の入力開始のタイミング（時点ｔ３５）において切換回路３３は第２の切換端３３ｂに切り換わり、これにより第３のＧＯＰデータＧＯＰ３は第２のＧＯＰメモリ３６に送出される。
【００５０】
またメモリ制御回路３４は、切換回路３３の切換制御信号Ｓ３４Ｂ（図４（Ｅ））が立ち上がるタイミングから区間信号ＳVINT（図４（Ｃ））が立ち下がるタイミングまでの間、論理「Ｈ」レベルに立ち上がる書込み許可信号Ｓ３４Ｃ（図４（Ｆ））をＧＯＰメモリ３５に送出する。従つて例えば、時点ｔ３１において切換回路３３の切換制御信号Ｓ３４Ｂが論理「Ｈ」レベルに立ち上がることによつて第１のＧＯＰデータＧＯＰ１がＧＯＰメモリ３５に入力されてから、区間信号ＳVINTが論理「Ｌ」レベルに立ち下がつてＧＯＰ１のデータが終了する時点ｔ３２までの間、書込み許可信号Ｓ３４ＣがＧＯＰメモリ３５へのデータ（ＧＯＰ１）の書込みを許可する。
【００５１】
これに対してメモリ制御回路３４は、切換回路３３の切換制御信号Ｓ３４Ｂ（図４（Ｅ））が立ち下がるタイミングから区間信号ＳVINT（図４（Ｃ））が立ち下がるタイミングまでの間、論理「Ｈ」レベルに立ち上がる書込み許可信号Ｓ３４Ｄ（図４（Ｇ））を生成し、これをＧＯＰメモリ３６に送出する。従つて例えば時点ｔ３５において切換回路３３の切換制御信号Ｓ３４Ｂ（図４（Ｅ））が論理「Ｌ」レベルに立ち下がることによつて第３のＧＯＰデータＧＯＰ３がＧＯＰメモリ３６に入力されてから、区間信号ＳVINT（図４（Ｃ））が論理「Ｌ」レベルに立ち下がつてＧＯＰ３のデータが終了する時点ｔ３６までの間、書込み許可信号Ｓ３４ＤがＧＯＰメモリ３６へのデータ（ＧＯＰ３）の書込みを許可する。
【００５２】
ＧＯＰメモリ３５に書き込まれたＧＯＰデータ（ＧＯＰ１、ＧＯＰ５、ＧＯＰ９、……）は、メモリ制御回路３４から送出される読出し許可信号Ｓ３４Ｅ（図２）によつて、書込み時のフレーム区間の次に到来するフレーム区間の先頭を読出し開始のタイミングとして読み出される。例えば第１のＧＯＰデータＧＯＰ１が第１のフレーム区間（時点ｔ３１〜ｔ３３）内においてＧＯＰメモリ３５に書き込まれると、当該第１のフレーム区間に続く第２のフレーム（時点ｔ３３〜ｔ３５）の先頭（時点ｔ３３）のタイミングを読出し開始時点としてＧＯＰメモリ３５内のＧＯＰデータＧＯＰ１が読み出され、読出しデータＳ３５（図４（Ｈ））として切換回路３７の第１の切換端３７ａに送出される。
【００５３】
この読出しデータＳ３５においては、図４（Ｈ）に示すように、元々２フレーム分の画像データが圧縮されてなる１つのＧＯＰデータ内の各データを、間欠に送出することにより、２つのフレーム区間（例えば時点ｔ３３〜ｔ３７）を使つて１つのＧＯＰデータが切換回路３７に送出される。
【００５４】
これに対してＧＯＰメモリ３６に書き込まれたＧＯＰデータ（ＧＯＰ３、ＧＯＰ７、……）は、メモリ制御回路３４から送出される読出し許可信号Ｓ３４Ｆ（図２）によつて、書込み時のフレーム区間の次に到来するフレーム区間の先頭を読出し開始のタイミングとして読み出される。例えば第３のＧＯＰデータＧＯＰ３が第３のフレーム区間（時点ｔ３５〜ｔ３７）内においてＧＯＰメモリ３６に書き込まれると、当該第３のフレーム区間に続く第４のフレーム（時点ｔ３７〜ｔ３９）の先頭（時点ｔ３７）のタイミングを読出し開始時点としてＧＯＰメモリ３６内のＧＯＰデータＧＯＰ３が読み出され、読出しデータＳ３６（図４（Ｉ））として切換回路３７の第２の切換端３７ｂに送出される。
【００５５】
この読出しデータＳ３６は、図４（Ｉ）に示すように、元々２フレーム分の画像データが圧縮されてなる１つのＧＯＰデータ内の各データを、間欠に送出することにより、２つのフレーム区間（例えば時点ｔ３７〜ｔ４１）を使つて１つのＧＯＰデータが切換回路３７に送出される。
【００５６】
メモリ制御回路３４は、切換回路３３に対する切換制御信号Ｓ３４Ｂ（図４（Ｅ））を１フレーム分遅延させることによつて切換回路３７に対する切換制御信号Ｓ３４Ｇ（図４（Ｊ））を生成する。切換回路３７は、切換制御信号Ｓ３４Ｇが論理「Ｈ」レベルに立ち上がる間、第１の切換端３７ａ側に切り換わり、論理「Ｌ」レベルに立ち下がる間、第２の切換端３７ｂ側に切り換わる。
【００５７】
従つてＧＯＰメモリ３５から送出される読出しデータＳ３５（ＧＯＰ１、ＧＯＰ５、ＧＯＰ９、……）及びＧＯＰメモリ３６から送出される読出しデータＳ３６（ＧＯＰ３、ＧＯＰ７、……）は、切換回路３７によつて順次切り換えられながら出力される。この結果当該切換出力データ信号Ｓ３７としては図４（Ｋ）に示すように、時点ｔ３３〜ｔ３７までの２フレーム区間で第１のＧＯＰデータＧＯＰ１が出力され、これに続く時点ｔ３７〜ｔ４１までの２フレーム区間で第３のＧＯＰデータＧＯＰ３が出力される。以後第５のＧＯＰデータＧＯＰ５、第７のＧＯＰデータＧＯＰ７、第９のＧＯＰデータＧＯＰ９、……がそれぞれ２フレーム区間を使つて順次出力される。
【００５８】
因みに切換回路３７から切換出力データ信号Ｓ３７として出力される各ＧＯＰデータ（ＧＯＰ１、ＧＯＰ３、ＧＯＰ５、……）は圧縮復号前のデータであり、２フレーム分のデータが１フレーム以下のデータ量に圧縮されている。従つて当該切換出力データ信号Ｓ３７は、読出しデータＳ３５及びＳ３６について上述したように、ＧＯＰメモリ３５及び３６から出力される時点でＧＯＰデータ内の各データが間欠に出力され、これにより２フレーム区間を使つて１つのＧＯＰデータが出力されるようになされている。
【００５９】
切換回路３７から出力される切換出力データ信号Ｓ３７は、続く復号器３８に送出される。この復号器３８は切換出力データ信号Ｓ３７として入力される各ＧＯＰデータ（図４（Ｋ））を１倍速で圧縮復号処理する。
【００６０】
ここで復号器３８において切換出力データ信号Ｓ３７を圧縮復号する場合、図４（Ｋ）に示す切換出力データ信号Ｓ３７の各ＧＯＰデータ内のＢピクチヤは前後のＩピクチヤを用いて復号される。例えば、第１のＧＯＰデータＧＯＰ１のなかのＢピクチヤ（時点ｔ３５〜ｔ３７）は前後のＩピクチヤ（すなわちＧＯＰ１のＩピクチヤ及びＧＯＰ３のＩピクチヤ）を用いて復号される。また復号処理によつて各ＧＯＰデータ（ＧＯＰ１、ＧＯＰ３、ＧＯＰ５、……）のＩピクチヤ及びＢピチクヤの順序が入れ代わる。これにより、図４（Ｌ）に示すように時点ｔ３５〜ｔ３７の１フレーム区間で第１のＧＯＰデータＧＯＰ１のＢピクチヤが復号されて復号器３８から出力されるとともに、続く１フレーム区間（時点ｔ３７〜ｔ３９）で当該第１のＧＯＰデータＧＯＰ１のＩピクチヤが復号されて出力される。以後第３のＧＯＰデータＧＯＰ３、第５のＧＯＰデータＧＯＰ５、……の各データも同様にして復号され、復号映像信号Ｓ３８として続くフレームメモリ３９に送出される。
【００６１】
ここで、復号器３８に切換出力データ信号Ｓ３７として入力される各ＧＯＰデータ（ＧＯＰ１、ＧＯＰ３、ＧＯＰ５、……）は、本来２倍速で転送されてくる連続したＧＯＰデータ（ＧＯＰ１、ＧＯＰ２、ＧＯＰ３、……（図４（Ｂ）））をＧＯＰデータ単位で間引くことによつて１倍速にレート変換したものである。従つて当該切換出力データ信号Ｓ３７の各ＧＯＰデータ（ＧＯＰ１、ＧＯＰ３、ＧＯＰ５、……）は非連続となり、この結果復号器３８において前後のＩピクチヤから復号されたＢピクチヤの映像信号は目的とする信号には復号されない。
【００６２】
従つてこの場合、スイツチヤ１６（図１）は、データ復号装置２１に送出するモニタ出力信号Ｓ１６Ｍの転送レートが２倍速であることに基づいてモード信号ＳMODEをデータ復号装置２１のメモリ制御回路３４に送出する。メモリ制御回路３４はモード信号ＳMODEに基づいて、図４（Ｍ）に示すように、復号されたＩピチクヤが出力される間（時点ｔ３７〜ｔ３９、時点ｔ４１〜ｔ４３、……）においてのみメモリ書込み制御信号Ｓ３４Ｈを論理「Ｈ」レベルに立ち上げる。
この結果フレームメモリ３９は、当該メモリ書込み制御信号Ｓ３４Ｈに基づいて復号映像信号Ｓ３８のＩピクチヤに相当する映像信号だけを書き込む。
【００６３】
フレームメモリ読出し制御回路４０は、スチツチヤ１６（図１）から送出される基準信号ＳREF に基づいて矩形波状の基準フレーム信号Ｓ４０（図４（Ｏ））を生成し、これをフレームメモリ３９に送出する。フレームメモリ３９は基準フレーム信号Ｓ４０の立ち上がりに同期したタイミングでデータを読み出す。
【００６４】
因みに、メモリ書込み制御信号Ｓ３４Ｈによつて復号映像信号Ｓ３８（図４（Ｌ））のなかから抜き出されたＩピクチヤに相当する信号は、１フレーム区間おきに間欠的にフレームメモリ３９に書き込まれるが、当該フレームメモリ３９からの読出し時においては、当該フレームメモリ３９にあらたな信号（Ｉピクチヤ）が書き込まれるまで同一の信号（Ｉピクチヤ）が読み出される。
【００６５】
この結果図４（Ｎ）に示すように、フレームメモリ３９に入力された復号映像信号Ｓ３８（図４（Ｌ））のＩピクチヤに相当する信号のみがスイツチヤ１６（図１）全体を制御する基準信号ＳREF のタイミングに同期して読み出される。このようにして読み出された復号映像信号Ｓ３９は、非連続なＧＯＰデータ（ＧＯＰ１、ＧＯＰ３、ＧＯＰ５、……）から復号されたＢピクチヤ及びＩピクチヤのうち、１つのＧＯＰ内のデータだけで復号し得るＩピクチヤの映像信号のみで構成される。この結果、当該復号映像信号Ｓ３９は所望の復号画像を形成し得、この復号映像信号Ｓ３９を入力するモニタ２２（図１）には、光磁気デイスクチエンジヤ１８に２倍速で転送中の映像が実用上十分な解像度で表示される。
【００６６】
（４） 0.5倍速転送時の復号処理
図１においてＶＴＲ１４から再生される圧縮映像信号Ｓ１４は、ＩＳＤＮ回線を介して 0.5倍速の転送レートで低速転送される。この場合、２フレーム分の画像データを圧縮してなる１つのＧＯＰデータは４フレーム区間内に１回転送される。この 0.5倍速転送レートで転送される圧縮映像信号Ｓ１４をモニタ出力信号Ｓ１６Ｍとしてデータ復号装置２１に送出する場合について説明する。
【００６７】
すなわち図２に示すように、データ復号装置２１はＧＯＰ単位で構成されたＳＤＤＩフオーマツトのモニタ出力信号Ｓ１６ＭをＳＤＤＩ復号回路３１に入力する。ＳＤＤＩ復号回路３１は、モニタ出力信号Ｓ１６ＭのＳＤＤＩフオーマツトデータの同期データ（フレームパルス）に基づいて各フレームごとに変化するパルス状のフレームサイクル信号ＳF を生成する。このフレームサイクル信号ＳF は、図５（Ａ）に示すようにモニタ出力信号Ｓ１６Ｍとして入力されたＳＤＤＩフオーマツトデータの各フレームの先頭のタイミングｔ６１、ｔ６３、ｔ６４、ｔ６５、ｔ６６、ｔ６８、……）で立ち上がる矩形波形状のパルス波形となる。このフレームサイクル信号ＳF は、メモリ制御回路３４（図２）に送出される。
【００６８】
またＳＤＤＩ復号回路３１は、モニタ出力信号Ｓ１６ＭをＳＤＤＩ復号することにより、図５（Ｂ）に示すように、２フレーム分の圧縮映像データＳD （Ｉピクチヤ及びＢピクチヤ）をそれぞれ含む複数のＧＯＰデータ（ＧＯＰ１、ＧＯＰ２、ＧＯＰ３……）を４フレームに１回のタイミング（ｔ６１、ｔ６６、ｔ７１、……）でスイツチ回路３２に送出する。
【００６９】
またＳＤＤＩ復号回路３１は、モニタ出力信号Ｓ１６Ｍとして入力されたＳＤＤＩフオーマツトの圧縮データのうち、圧縮された映像データが設けられるペイロード領域から有効映像データの長さ（すなわちＧＯＰの開始と終了）を検出し、各ＧＯＰデータの開始から終了まで矩形状に立ち上がる区間信号ＳVINT（図５（Ｃ））を得る。この区間信号ＳVINTはメモリ制御回路３４（図２）に送出される。
【００７０】
メモリ制御回路３４は、区間信号ＳVINT（図５（Ｃ））の立ち下がり時点からフレームサイクル信号ＳF （図５（Ａ））の立ち上がりを２回検出する時点までの間、論理「Ｈ」レベルに立ち上がるスイツチ制御信号Ｓ３４Ａ（図５（Ｄ））を生成する。従つてこのスイツチ制御信号Ｓ３４Ａは、例えば第１のフレーム区間（時点ｔ６１〜ｔ６３）において第１のＧＯＰデータＧＯＰ１が終了する時点ｔ６２から、当該第１のフレーム区間（時点ｔ６１〜ｔ６３）に続く第２のフレーム区間（時点ｔ６３〜ｔ６４）が終了するまでの間だけ論理「Ｈ」レベルに立ち上がることにより、第２のＧＯＰデータＧＯＰ２の開始時点ｔ６６以前に論理「Ｌ」レベルに立ち下がる。
【００７１】
このように当該スイツチ制御信号Ｓ３４Ａは、４フレームに１回のタイミング（ 0.5倍速）でＳＤＤＩ復号回路３１から送出される圧縮映像データＳD の各ＧＯＰデータ（ＧＯＰ１、ＧＯＰ２、ＧＯＰ３、……）がスイツチ回路３２に入力されるときには論理「Ｌ」レベル立ち下がつていることになる。
【００７２】
このスイツチ制御信号Ｓ３４Ａはスイツチ回路３２の開閉制御信号として送出される。スイツチ回路３２は、スイツチ制御信号Ｓ３４Ａが論理「Ｈ」レベルに立ち上がつているとき開動作し、論理「Ｌ」レベルに立ち下がつているとき閉動作する。従つて例えば当該スイツチ制御信号Ｓ３４Ａが時点ｔ６２までの間論理「Ｌ」レベルに立ち下がると、これに応じてスイツチ回路３２が閉動作することにより当該タイミングにおいて入力される圧縮映像データＳD の第１のＧＯＰデータＧＯＰ１は続く切換回路３３に送出される。
【００７３】
これに対して当該第１のＧＯＰデータＧＯＰ１の次に第２のＧＯＰデータＧＯＰ２がスイツチ回路３２に入力される第５のフレーム区間内の時点ｔ６６〜ｔ６７においても、スイツチ制御信号Ｓ３４Ａが論理「Ｌ」レベルに立ち下がつていることにより、同様にして閉動作したスイツチ回路３２を介して第２のＧＯＰデータＧＯＰ２が切換回路３３に送出される。
【００７４】
ここでメモリ制御回路３４は、区間信号ＳVINT（図５（Ｃ））の立ち上がり及びスイツチ回路３２に対するスイツチ制御信号Ｓ３４Ａ（図５（Ｄ））の論理「Ｌ」レベル状態を検出することによつて論理レベルが反転する切換制御信号Ｓ３４Ｂ（図５（Ｅ））を生成し、これを切換回路３３に送出する。
【００７５】
従つて切換回路３３は、圧縮映像データＳD の各ＧＯＰデータ（ＧＯＰ１、ＧＯＰ２、ＧＯＰ３、……）の開始とスイツチ回路３２の閉状態の成立をトリガとして出力端（第１の切換端３３ａ及び第２の切換端３３ｂ）を切り換える。この結果例えば、時点ｔ６１において切換回路３３に第１のＧＯＰデータＧＯＰ１が入力されるとき、当該ＧＯＰデータＧＯＰ１が入力開始するタイミング（時点ｔ６１）において切換回路３３が第１の切換端３３ａに切り換わり、これにより第１のＧＯＰデータＧＯＰ１は第１のＧＯＰメモリ３５に送出される。
【００７６】
これに対して第２のＧＯＰデータＧＯＰ２が切換回路３３に入力されると、当該ＧＯＰデータＧＯＰ２の入力開始のタイミング（時点ｔ６６）において切換回路３３は第２の切換端３３ｂに切り換わり、これにより第２のＧＯＰデータＧＯＰ２は第２のＧＯＰメモリ３６に送出される。
【００７７】
またメモリ制御回路３４は、切換回路３３の切換制御信号Ｓ３４Ｂ（図５（Ｅ））が立ち上がるタイミングから区間信号ＳVINT（図５（Ｃ））が立ち下がるタイミングまでの間、論理「Ｈ」レベルに立ち上がる書込み許可信号Ｓ３４Ｃ（図５（Ｆ））をＧＯＰメモリ３５に送出する。従つて例えば、時点ｔ６１において切換回路３３の切換制御信号Ｓ３４Ｂが論理「Ｈ」レベルに立ち上がることによつて第１のＧＯＰデータＧＯＰ１がＧＯＰメモリ３５に入力されてから、区間信号ＳVINTが論理「Ｌ」レベルに立ち下がつてＧＯＰ１のデータが終了する時点ｔ６２までの間、書込み許可信号Ｓ３４ＣがＧＯＰメモリ３５へのデータ（ＧＯＰ１）の書込みを許可する。
【００７８】
これに対してメモリ制御回路３４は、切換回路３３の切換制御信号Ｓ３４Ｂ（図５（Ｅ））が立ち下がるタイミングから区間信号ＳVINT（図５（Ｃ））が立ち下がるタイミングまでの間、論理「Ｈ」レベルに立ち上がる書込み許可信号Ｓ３４Ｄ（図５（Ｇ））を生成し、これをＧＯＰメモリ３６に送出する。従つて例えば時点ｔ６６において切換回路３３の切換制御信号Ｓ３４Ｂ（図５（Ｅ））が論理「Ｌ」レベルに立ち下がることによつて第２のＧＯＰデータＧＯＰ２がＧＯＰメモリ３６に入力されてから、区間信号ＳVINT（図５（Ｂ））が論理「Ｌ」レベルに立ち下がつてＧＯＰ２のデータが終了する時点ｔ６７までの間、書込み許可信号Ｓ３４ＤがＧＯＰメモリ３６へのデータ（ＧＯＰ３）の書込みを許可する。
【００７９】
ＧＯＰメモリ３５に書き込まれたＧＯＰデータ（ＧＯＰ１、ＧＯＰ３、……）は、メモリ制御回路３４から送出される読出し許可信号Ｓ３４Ｅ（図２）によつて、書込み時のフレーム区間の次に到来するフレーム区間の先頭を読出し開始のタイミングとして読み出される。例えば第１のＧＯＰデータＧＯＰ１が第１のフレーム区間（時点ｔ６１〜ｔ６３）内においてＧＯＰメモリ３５に書き込まれると、当該第１のフレーム区間に続く第２のフレーム（時点ｔ６３〜ｔ６４）の先頭（時点ｔ６３）のタイミングを読出し開始時点としてＧＯＰメモリ３５内のＧＯＰデータＧＯＰ１が読み出され、読出しデータＳ３５（図５（Ｈ））として切換回路３７の第１の切換端３７ａに送出される。
【００８０】
この読出しデータＳ３５においては、図５（Ｈ）に示すように、元々２フレーム分の画像データが圧縮されてなる１つのＧＯＰデータ内の各データを、間欠に送出することにより、２つのフレーム区間（例えば時点ｔ６３〜ｔ６５）を使つて１つのＧＯＰデータが切換回路３７に送出される。
【００８１】
これに対してＧＯＰメモリ３６に書き込まれたＧＯＰデータ（ＧＯＰ２、ＧＯＰ４、……）は、メモリ制御回路３４から送出される読出し許可信号Ｓ３４Ｆ（図２）によつて、書込み時のフレーム区間の次に到来するフレーム区間の先頭を読出し開始のタイミングとして読み出される。例えば第２のＧＯＰデータＧＯＰ２が第５のフレーム区間（時点ｔ６６〜ｔ６８）内においてＧＯＰメモリ３６に書き込まれると、当該第５のフレーム区間に続く第６のフレーム（時点ｔ６８〜ｔ６９）の先頭（時点ｔ６８）のタイミングを読出し開始時点としてＧＯＰメモリ３６内のＧＯＰデータＧＯＰ２が読み出され、読出しデータＳ３６（図５（Ｉ））として切換回路３７の第２の切換端３７ｂに送出される。
【００８２】
この読出しデータＳ３６は、図５（Ｉ）に示すように、元々２フレーム分の画像データが圧縮されてなる１つのＧＯＰデータ内の各データを、間欠に送出することにより、２つのフレーム区間（例えば時点ｔ６８〜ｔ７０）を使つて１つのＧＯＰデータが切換回路３７に送出される。
【００８３】
メモリ制御回路３４は、切換回路３３に対する切換制御信号Ｓ３４Ｂ（図５（Ｅ））を１フレーム分遅延させることによつて切換回路３７に対する切換制御信号Ｓ３４Ｇ（図５（Ｊ））を生成する。切換回路３７は、切換制御信号Ｓ３４Ｇが論理「Ｈ」レベルに立ち上がる間、第１の切換端３７ａ側に切り換わり、論理「Ｌ」レベルに立ち下がる間、第２の切換端３７ｂ側に切り換わる。
【００８４】
従つてＧＯＰメモリ３５から送出される読出しデータＳ３５（ＧＯＰ１、ＧＯＰ３、……）及びＧＯＰメモリ３６から送出される読出しデータＳ３６（ＧＯＰ２、ＧＯＰ４、……）は、切換回路３７によつて順次切り換えられながら出力される。この結果当該切換出力データ信号Ｓ３７としては図５（Ｋ）に示すように、時点ｔ６３〜ｔ６５までの２フレーム区間で第１のＧＯＰデータＧＯＰ１が出力され、時点ｔ６８〜ｔ７０までの２フレーム区間で第２のＧＯＰデータＧＯＰ２が出力される。以後第３のＧＯＰデータＧＯＰ３、第４のＧＯＰデータＧＯＰ４（図示せず）、……がそれぞれ２フレーム区間を使つて順次出力される。
【００８５】
因みに切換回路３７から切換出力データ信号Ｓ３７として出力される各ＧＯＰデータ（ＧＯＰ１、ＧＯＰ２、ＧＯＰ３、……）は圧縮復号前のデータであり、２フレーム分のデータが１フレーム以下のデータ量に圧縮されている。従つて当該切換出力データ信号Ｓ３７は、読出しデータＳ３５及びＳ３６について上述したように、ＧＯＰメモリ３５及び３６から出力される時点でＧＯＰデータ内の各データが間欠に出力され、これにより２フレーム区間を使つて１つのＧＯＰデータが出力されるようになされている。
【００８６】
切換回路３７から出力される切換出力データ信号Ｓ３７は、続く復号器３８に送出される。この復号器３８は切換出力データ信号Ｓ３７として入力される各ＧＯＰデータ（図５（Ｋ））を１倍速で圧縮復号処理する。
【００８７】
ここで復号器３８において切換出力データ信号Ｓ３７を圧縮復号する場合、図５（Ｋ）に示す切換出力データ信号Ｓ３７の各ＧＯＰデータ内のＢピクチヤは、本来、前後のＩピクチヤを用いて復号されるようになされているが、図５（Ｋ）に示すように、例えば第１のＧＯＰデータＧＯＰ１のＢピクチヤとこれに続く第２のＧＯＰデータＧＯＰ２のＩピクチヤとの間には、２フレーム区間（時点ｔ６５〜ｔ６８）だけ間隔が開く。従つて当該Ｂピクチヤは目的とする所望の信号に復号されずに復号器３８から出力される（図５（Ｌ））。
【００８８】
また復号器３８は、当該Ｂピクチヤに続いてＩピクチヤを復号して出力するようになされており、これにより、図５（Ｌ）に示すように時点ｔ６４〜ｔ６５の１フレーム区間で第１のＧＯＰデータＧＯＰ１のＢピクチヤが復号器３８から出力されるとともに、続く１フレーム区間（時点ｔ６５〜ｔ６６）で当該第１のＧＯＰデータＧＯＰ１のＩピクチヤが復号されて出力される。以後ＧＯＰ２、ＧＯＰ３、……のデータも同様にして復号され、復号映像信号Ｓ３８として続くフレームメモリ３９に送出される。
【００８９】
この復号映像信号Ｓ３８の各Ｂピクチヤに相当する信号は、上述のように目的とする所望の信号に復号されていない。従つてスイツチヤ１６（図１）は、データ復号装置２１に送出するモニタ出力信号Ｓ１６Ｍの転送レートが 0.5倍速であることに基づいてモード信号ＳMODEをデータ復号装置２１のメモリ制御回路３４に送出する。メモリ制御回路３４はモード信号ＳMODEに基づいて、図５（Ｍ）に示すように、復号されたＩピチクヤが出力される間（時点ｔ６５〜ｔ６６、時点ｔ７０〜ｔ７１、……）においてのみメモリ書込み制御信号Ｓ３４Ｈを論理「Ｈ」レベルに立ち上げる。
【００９０】
この結果フレームメモリ３９は、当該メモリ書込み制御信号Ｓ３４Ｈに基づいて復号映像信号Ｓ３８のＩピクチヤに相当する映像信号だけを書き込む。
フレームメモリ読出し制御回路４０は、スチツチヤ１６（図１）から送出される基準信号ＳREF に基づいて矩形波状の基準フレーム信号Ｓ４０（図５（Ｏ））を生成し、これをフレームメモリ３９に送出する。フレームメモリ３９は基準フレーム信号Ｓ４０の立ち上がりに同期したタイミングでデータを読み出す。
【００９１】
因みに、メモリ書込み制御信号Ｓ３４Ｈによつて復号映像信号Ｓ３８（図５（Ｌ））のなかから抜き出されたＩピクチヤに相当する信号は、４フレーム区間ごとに間欠的にフレームメモリ３９に書き込まれるが、当該フレームメモリ３９からの読出し時においては、当該フレームメモリ３９にあらたな信号（Ｉピクチヤ）が書き込まれるまで同一の信号（Ｉピクチヤ）が読み出される。
【００９２】
この結果図５（Ｎ）に示すように、フレームメモリ３９に入力された復号映像信号Ｓ３８（図５（Ｌ））のＩピクチヤに相当する信号のみがスイツチヤ１６（図１）全体を制御する基準信号ＳREF のタイミングに同期して読み出される。このようにして読み出された復号映像信号Ｓ３９は、復号器３８に間欠的に入力されるＧＯＰデータ（ＧＯＰ１、ＧＯＰ２、ＧＯＰ３、……）から復号されたＢピクチヤ及びＩピクチヤのうち、１つのＧＯＰ内のデータだけで復号し得るＩピクチヤの映像信号のみで構成される。この結果、当該復号映像信号Ｓ３９は所望の復号画像を形成し得、この復号映像信号Ｓ３９を入力するモニタ２２（図１）には、光磁気デイスクチエンジヤ１８に 0.5倍速で転送中の映像が実用上十分な解像度で表示される。
【００９３】
（５）非同期転送時の復号処理
図１においてスイツチヤ１６に入力される圧縮映像信号Ｓ１２、Ｓ１３又はＳ１４の転送レートが一定していない場合、２フレーム分の画像データを圧縮してなる１つのＧＯＰデータは種々のフレーム数ごとに転送される。このような不確定な転送レートで転送される圧縮映像信号をモニタ出力信号Ｓ１６Ｍとしてデータ復号装置２１に送出する場合について説明する。
【００９４】
すなわち図２に示すように、データ復号装置２１はＧＯＰ単位で構成されたＳＤＤＩフオーマツトのモニタ出力信号Ｓ１６ＭをＳＤＤＩ復号回路３１に入力する。ＳＤＤＩ復号回路３１は、モニタ出力信号Ｓ１６ＭのＳＤＤＩフオーマツトデータの同期データ（フレームパルス）に基づいて各フレームごとに変化するパルス状のフレームサイクル信号ＳF を生成する。このフレームサイクル信号ＳF は、図６（Ａ）に示すようにモニタ出力信号Ｓ１６Ｍとして入力されたＳＤＤＩフオーマツトデータの各フレームの先頭のタイミングｔ８１、ｔ８３、ｔ８４、ｔ８５、ｔ８７、ｔ８９、……）で立ち上がる矩形波形状のパルス波形となる。このフレームサイクル信号ＳF は、メモリ制御回路３４（図２）に送出される。
【００９５】
またＳＤＤＩ復号回路３１は、モニタ出力信号Ｓ１６ＭをＳＤＤＩ復号することにより、図６（Ｂ）に示すように、２フレーム分の圧縮映像データＳD （Ｉピクチヤ及びＢピクチヤ）をそれぞれ含む複数のＧＯＰデータ（ＧＯＰ１、ＧＯＰ２、ＧＯＰ３……）を、その転送されてくる速さ（転送レート）に応じて種々のフレーム数ごと（ｔ８１、ｔ８５、ｔ８７、……）にスイツチ回路３２に送出する。
【００９６】
またＳＤＤＩ復号回路３１は、モニタ出力信号Ｓ１６Ｍとして入力されたＳＤＤＩフオーマツトの圧縮データのうち、圧縮された映像データが設けられるペイロード領域から有効映像データの長さ（すなわちＧＯＰの開始と終了）を検出し、各ＧＯＰデータの開始から終了まで矩形状に立ち上がる区間信号ＳVINT（図６（Ｃ））を得る。この区間信号ＳVINTはメモリ制御回路３４（図２）に送出される。
【００９７】
メモリ制御回路３４は、区間信号ＳVINT（図６（Ｃ））の立ち下がり時点からフレームサイクル信号ＳF （図６（Ａ））の立ち上がりを２回検出する時点までの間、論理「Ｈ」レベルに立ち上がるスイツチ制御信号Ｓ３４Ａ（図６（Ｄ））を生成する。従つてこのスイツチ制御信号Ｓ３４Ａは、例えば第１のフレーム区間（時点ｔ８１〜ｔ８３）において第１のＧＯＰデータＧＯＰ１が終了する時点ｔ８２から、当該第１のフレーム区間（時点ｔ８１〜ｔ８３）に続く第２のフレーム区間（時点ｔ８３〜ｔ８４）が終了するまでの間だけ論理「Ｈ」レベルを保持する。
【００９８】
このスイツチ制御信号Ｓ３４Ａはスイツチ回路３２の開閉制御信号として送出され、スイツチ回路３２は、スイツチ制御信号Ｓ３４Ａが論理「Ｈ」レベルに立ち上がつているとき開動作し、論理「Ｌ」レベルに立ち下がつているとき閉動作する。従つて例えば第１のフレーム区間（時点ｔ８１〜ｔ８２）における第１のＧＯＰデータＧＯＰ１の転送終了時点ｔ８２において論理「Ｈ」レベルに立ち上がつたスイツチ制御信号Ｓ３４Ａは、第２のフレーム区間（時点ｔ８３〜ｔ８４）が終了する時点ｔ８４において論理「Ｌ」レベルに立ち下がることによりスイツチ回路３２が閉動作し、これによりその後第４のフレーム区間の開始時点ｔ８５において転送されてくる第２のＧＯＰデータＧＯＰ２は続く切換回路３３に送出される。
【００９９】
これに対して当該第２のＧＯＰデータＧＯＰ２が転送された第４のフレーム区間（時点ｔ８５〜ｔ８７）に続く第５のフレーム区間（時点ｔ８７〜ｔ８８）ににおいては、スイツチ制御信号Ｓ３４Ａが論理「Ｈ」レベルを保持していることにより、当該第５のフレーム区間に転送されてくる第３のＧＯＰデータＧＯＰ３は、スイツチ回路３２の開動作によつて出力停止状態となる。
【０１００】
このようにスイツチ回路３２は、不確定なフレーム数ごとに転送されてくるＧＯＰデータ（ＧＯＰ１、ＧＯＰ２、ＧＯＰ３、……）のうち、連続したフレーム区間で転送されるＧＯＰデータ（ＧＯＰ３、ＧＯＰ６、……）をＧＯＰデータ単位で間引くことにより、少なくとも１フレーム区間の間隔を開けて到来するＧＯＰデータ（ＧＯＰ１、ＧＯＰ２、ＧＯＰ４、ＧＯＰ６、……）のみを続く切換回路３３に送出する。従つて２フレーム区間に１回のタイミング（１倍速）以下の転送レートでスイツチ回路３２からＧＯＰデータが送出される。
【０１０１】
ここでメモリ制御回路３４は、区間信号ＳVINT（図６（Ｃ））の立ち上がり及びスイツチ回路３２に対するスイツチ制御信号Ｓ３４Ａ（図６（Ｄ））の論理「Ｌ」レベル状態を検出することによつて論理レベルが反転する切換制御信号Ｓ３４Ｂ（図６（Ｅ））を生成し、これを切換回路３３に送出する。
【０１０２】
従つて切換回路３３は、当該切換回路３３に入力される各ＧＯＰデータ（ＧＯＰ１、ＧＯＰ２、ＧＯＰ４、……）の開始とスイツチ回路３２の閉状態の成立をトリガとして出力端（第１の切換端３３ａ及び第２の切換端３３ｂ）を切り換える。この結果例えば、時点ｔ８１において切換回路３３に第１のＧＯＰデータＧＯＰ１が入力されるとき、当該ＧＯＰデータＧＯＰ１が入力開始するタイミング（時点ｔ８１）において切換回路３３が第１の切換端３３ａに切り換わり、これにより第１のＧＯＰデータＧＯＰ１は第１のＧＯＰメモリ３５に送出される。
【０１０３】
これに対して第２のＧＯＰデータＧＯＰ２が切換回路３３に入力されると、当該ＧＯＰデータＧＯＰ２の入力開始のタイミング（時点ｔ８５）において切換回路３３は第２の切換端３３ｂに切り換わり、これにより第２のＧＯＰデータＧＯＰ２は第２のＧＯＰメモリ３６に送出される。
【０１０４】
またメモリ制御回路３４は、切換回路３３の切換制御信号Ｓ３４Ｂ（図６（Ｅ））が立ち上がるタイミングから区間信号ＳVINT（図６（Ｃ））が立ち下がるタイミングまでの間、論理「Ｈ」レベルに立ち上がる書込み許可信号Ｓ３４Ｃ（図６（Ｆ））をＧＯＰメモリ３５に送出する。従つて例えば、時点ｔ８１において切換回路３３の切換制御信号Ｓ３４Ｂが論理「Ｈ」レベルに立ち上がることによつて第１のＧＯＰデータＧＯＰ１がＧＯＰメモリ３５に入力されてから、区間信号ＳVINTが論理「Ｌ」レベルに立ち下がつてＧＯＰ１のデータが終了する時点ｔ８２までの間、書込み許可信号Ｓ３４ＣがＧＯＰメモリ３５へのデータ（ＧＯＰ１）の書込みを許可する。
【０１０５】
これに対してメモリ制御回路３４は、切換回路３３の切換制御信号Ｓ３４Ｂ（図６（Ｅ））が立ち下がるタイミングから区間信号ＳVINT（図６（Ｃ））が立ち下がるタイミングまでの間、論理「Ｈ」レベルに立ち上がる書込み許可信号Ｓ３４Ｄ（図６（Ｇ））を生成し、これをＧＯＰメモリ３６に送出する。従つて例えば時点ｔ８５において切換回路３３の切換制御信号Ｓ３４Ｂ（図６（Ｅ））が論理「Ｌ」レベルに立ち下がることによつて第２のＧＯＰデータＧＯＰ２がＧＯＰメモリ３６に入力されてから、区間信号ＳVINT（図６（Ｂ））が論理「Ｌ」レベルに立ち下がつてＧＯＰ２のデータが終了する時点ｔ８６までの間、書込み許可信号Ｓ３４ＤがＧＯＰメモリ３６へのデータ（ＧＯＰ２）の書込みを許可する。
【０１０６】
ＧＯＰメモリ３５に書き込まれたＧＯＰデータ（ＧＯＰ１、ＧＯＰ４、……）は、メモリ制御回路３４から送出される読出し許可信号Ｓ３４Ｅ（図２）によつて、書込み時のフレーム区間の次に到来するフレーム区間の先頭を読出し開始のタイミングとして読み出される。例えば第１のＧＯＰデータＧＯＰ１が第１のフレーム区間（時点ｔ８１〜ｔ８３）内においてＧＯＰメモリ３５に書き込まれると、当該第１のフレーム区間に続く第２のフレーム（時点ｔ８３〜ｔ８４）の先頭（時点ｔ８３）のタイミングを読出し開始時点としてＧＯＰメモリ３５内のＧＯＰデータＧＯＰ１が読み出され、読出しデータＳ３５（図５（Ｈ））として切換回路３７の第１の切換端３７ａに送出される。
【０１０７】
この読出しデータＳ３５においては、図６（Ｈ）に示すように、元々２フレーム分の画像データが圧縮されてなる１つのＧＯＰデータ内の各データを、間欠に送出することにより、２つのフレーム区間（例えば時点ｔ８３〜ｔ８５）を使つて１つのＧＯＰデータが切換回路３７に送出される。
【０１０８】
これに対してＧＯＰメモリ３６に書き込まれたＧＯＰデータ（ＧＯＰ２、ＧＯＰ５、……）は、メモリ制御回路３４から送出される読出し許可信号Ｓ３４Ｆ（図２）によつて、書込み時のフレーム区間の次に到来するフレーム区間の先頭を読出し開始のタイミングとして読み出される。例えば第２のＧＯＰデータＧＯＰ２が第４のフレーム区間（時点ｔ８５〜ｔ８７）内においてＧＯＰメモリ３６に書き込まれると、当該第４のフレーム区間に続く第５のフレーム（時点ｔ８７〜ｔ８９）の先頭（時点ｔ８７）のタイミングを読出し開始時点としてＧＯＰメモリ３６内のＧＯＰデータＧＯＰ２が読み出され、読出しデータＳ３６（図６（Ｉ））として切換回路３７の第２の切換端３７ｂに送出される。
【０１０９】
この読出しデータＳ３６は、図６（Ｉ）に示すように、元々２フレーム分の画像データが圧縮されてなる１つのＧＯＰデータ内の各データを、間欠に送出することにより、２つのフレーム区間（例えば時点ｔ８７〜ｔ９０）を使つて１つのＧＯＰデータが切換回路３７に送出される。
【０１１０】
メモリ制御回路３４は、切換回路３３に対する切換制御信号Ｓ３４Ｂ（図６（Ｅ））を１フレーム分遅延させることによつて切換回路３７に対する切換制御信号Ｓ３４Ｇ（図６（Ｊ））を生成する。切換回路３７は、切換制御信号Ｓ３４Ｇが論理「Ｈ」レベルに立ち上がる間、第１の切換端３７ａ側に切り換わり、論理「Ｌ」レベルに立ち下がる間、第２の切換端３７ｂ側に切り換わる。
【０１１１】
従つてＧＯＰメモリ３５から送出される読出しデータＳ３５（ＧＯＰ１、ＧＯＰ４、……）及びＧＯＰメモリ３６から送出される読出しデータＳ３６（ＧＯＰ２、ＧＯＰ５、……）は、切換回路３７によつて順次切り換えられながら出力される。この結果当該切換出力データ信号Ｓ３７としては図６（Ｋ）に示すように、時点ｔ８３〜ｔ８５までの２フレーム区間で第１のＧＯＰデータＧＯＰ１が出力され、時点ｔ８７〜ｔ９０までの２フレーム区間で第２のＧＯＰデータＧＯＰ２が出力される。以後第４のＧＯＰデータＧＯＰ４、第５のＧＯＰデータＧＯＰ５、……がそれぞれ２フレーム区間を使つて順次出力される。
【０１１２】
因みに切換回路３７から切換出力データ信号Ｓ３７として出力される各ＧＯＰデータ（ＧＯＰ１、ＧＯＰ２、ＧＯＰ４、……）は圧縮復号前のデータであり、２フレーム分のデータが１フレーム以下のデータ量に圧縮されている。従つて当該切換出力データ信号Ｓ３７は、読出しデータＳ３５及びＳ３６について上述したように、ＧＯＰメモリ３５及び３６から出力される時点でＧＯＰデータ内の各データが間欠に出力され、これにより２フレーム区間を使つて１つのＧＯＰデータが出力されるようになされている。
【０１１３】
切換回路３７から出力される切換出力データ信号Ｓ３７は、続く復号器３８に送出される。この復号器３８は切換出力データ信号Ｓ３７として入力される各ＧＯＰデータ（図６（Ｋ））を１倍速で圧縮復号処理する。
【０１１４】
ここで復号器３８において切換出力データ信号Ｓ３７を圧縮復号する場合、図６（Ｋ）に示す切換出力データ信号Ｓ３７の各ＧＯＰデータ内のＢピクチヤは、本来、前後のＩピクチヤを用いて復号されるようになされているが、図６（Ｋ）に示すように、例えば第１のＧＯＰデータＧＯＰ１のＢピクチヤとこれに続く第２のＧＯＰデータＧＯＰ２のＩピクチヤとの間には、１フレーム区間（時点ｔ８５〜ｔ８７）だけ間隔が開く。従つて当該Ｂピクチヤは目的とする所望の信号に復号されずに復号器３８から出力される（図６（Ｌ））。
【０１１５】
また復号器３８においては、例えば第３のＧＯＰデータＧＯＰ３が転送される第５のフレーム区間（時点ｔ８７〜ｔ８９）に続く第６のフレーム区間（時点ｔ８９〜ｔ９０）に第４のＧＯＰデータＧＯＰ４が転送されてくるとすると（図示せず）、スイツチ回路３２において第３のＧＯＰデータＧＯＰ３が間引かれることにより、復号器３８には切換出力データ信号Ｓ３７として、第２のＧＯＰデータＧＯＰ２に続いて第４のＧＯＰデータＧＯＰ４が入力される。従つて当該第２のＧＯＰデータＧＯＰ２及び第４のＧＯＰデータＧＯＰ４は非連続となることにより、復号器３８においてフレーム間復号を行うＢピクチヤが目的とする所望の信号に復号されずに出力される。
【０１１６】
また復号器３８は、当該Ｂピクチヤに続いてＩピクチヤを復号して出力するようになされており、これにより、図６（Ｌ）に示すように時点ｔ８４〜ｔ８５の１フレーム区間で第１のＧＯＰデータＧＯＰ１のＢピクチヤが復号器３８から出力されるとともに、続く１フレーム区間（時点ｔ８５〜ｔ８７）で当該第１のＧＯＰデータＧＯＰ１のＩピクチヤが復号されて出力される。以後ＧＯＰ２、ＧＯＰ４、……のデータも同様にして復号され、復号映像信号Ｓ３８として続くフレームメモリ３９に送出される。
【０１１７】
この復号映像信号Ｓ３８の各Ｂピクチヤに相当する信号は、上述のように目的とする所望の信号に復号されていない。従つて、スイツチヤ１６（図１）は、データ復号装置２１に送出するモニタ出力信号Ｓ１６Ｍの転送レートが不確定であることに基づいてモード信号ＳMODEをデータ復号装置２１のメモリ制御回路３４に送出する。メモリ制御回路３４はモード信号ＳMODEに基づいて、図６（Ｍ）に示すように、復号されたＩピチクヤが出力される間（時点ｔ８５〜ｔ８７、時点ｔ９０〜ｔ９２、……）においてのみメモリ書込み制御信号Ｓ３４Ｈを論理「Ｈ」レベルに立ち上げる。
【０１１８】
この結果フレームメモリ３９は、当該メモリ書込み制御信号Ｓ３４Ｈに基づいて復号映像信号Ｓ３８のＩピクチヤに相当する映像信号だけを書き込む。
フレームメモリ読出し制御回路４０は、スチツチヤ１６（図１）から送出される基準信号ＳREF に基づいて矩形波状の基準フレーム信号Ｓ４０（図６（Ｏ））を生成し、これをフレームメモリ３９に送出する。フレームメモリ３９は基準フレーム信号Ｓ４０の立ち上がりに同期したタイミングでデータを読み出す。
【０１１９】
因みに図６（Ｂ）に示すようなタイミングで各ＧＯＰデータが転送されてくる場合、メモリ書込み制御信号Ｓ３４Ｈによつて復号映像信号Ｓ３８（図６（Ｌ））のなかから抜き出されたＩピクチヤに相当する信号は、３フレーム区間ごとに間欠的にフレームメモリ３９に書き込まれるが、当該フレームメモリ３９からの読出し時においては、当該フレームメモリ３９にあらたな信号（Ｉピクチヤ）が書き込まれるまで同一の信号（Ｉピクチヤ）が読み出される。
【０１２０】
この結果図６（Ｎ）に示すように、フレームメモリ３９に入力された復号映像信号Ｓ３８（図６（Ｌ））のＩピクチヤに相当する信号のみがスイツチヤ１６（図１）全体を制御する基準信号ＳREF のタイミングに同期して読み出される。このようにして読み出された復号映像信号Ｓ３９は、復号器３８に間欠的又は非連続で入力されるＧＯＰデータ（ＧＯＰ１、ＧＯＰ２、ＧＯＰ４、……）から復号されたＢピクチヤ及びＩピクチヤのうち、１つのＧＯＰ内のデータだけで復号し得るＩピクチヤの映像信号のみで構成される。この結果、当該復号映像信号Ｓ３９は所望の復号画像を形成し得、この復号映像信号Ｓ３９を入力するモニタ２２（図１）には、光磁気デイスクチエンジヤ１８に不確定な非同期の転送レートで転送中の映像が実用上十分な解像度で表示される。
【０１２１】
（６）実施例の動作及び効果
以上の構成において、データ復号装置２１においては、ＧＯＰデータ（ＧＯＰ１、ＧＯＰ２、ＧＯＰ３、……）として２フレーム分のデータを１フレーム以下のデータ量に圧縮したものが転送されてくることから、モニタ出力信号Ｓ１６Ｍとして入力されるＳＤＤＩフオーマツトの映像信号の同期データ（フレームパルス）に基づき、当該フレームパルスによつてその長さが特定される２フレーム区間に１回のタイミング（すなわち１倍速）以下のレートでＧＯＰデータを復号器３８に入力すれば、１倍速でデータを復号処理する復号器３８によつて当該ＧＯＰデータを復号処理することができる。
【０１２２】
従つてデータ復号装置２１のメモリ制御回路３４は、各ＧＯＰデータの終了時点を表す区間信号ＳVINTの立ち下がり時点から各フレームの開始を表すフレームサイクル信号ＳF の立ち上がりを２回検出するまでの間、スイツチ制御信号Ｓ３４Ａを論理「Ｈ」レベルに立ち上げることにより、所定のフレーム区間において１つのＧＯＰデータが転送終了した後、当該フレーム区間に続く次の１フレーム区間が経過するまで当該スイツチ制御信号Ｓ３４Ａによつてスイツチ回路３２が開動作し、この間ＧＯＰデータの出力が停止される。
【０１２３】
従つてスイツチ回路３２は、１倍速を越える転送レートで入力されたＧＯＰデータについてはＧＯＰデータ単位でこれを切り捨てることにより、到来するＧＯＰデータの転送レートとして、２フレームにつき１回のタイミング（１倍速）、１フレームにつき１回のタイミング（２倍速）又は３フレーム以上につき１回のタイミング（ 0.5倍速以下）のいずれにおいても、その転送レートに関わらずこれを１倍速以下の転送レートで出力する。
【０１２４】
従つて当該１倍速以下の転送レートにレート変換されたＧＯＰデータを１倍速で復号処理する復号器３８に送出することにより、当該復号器３８において入力データ（ＧＯＰデータ）が実用上十分に復号処理される。この際、スイツチ回路３２によるデータの間引き処理がＧＯＰデータ単位でなされることにより、ＧＯＰデータ単位で復号処理する復号器３８において、ＧＯＰデータ間の少なくともＩピクチヤは所望の信号に復号される。
【０１２５】
以上の構成によれば、１倍速を越える転送レートで入力されたＧＯＰデータについて、ＧＯＰデータ単位でこれを切り捨てることにより、１倍速以下の転送レートに変換することができる。
【０１２６】
従つて当該１倍速以下の転送レートに変換されたＧＯＰデータを復号器３８に入力することにより、１倍速で復号処理する当該復号器３８から出力される復号映像信号にノイズ等が発生することを防止し得る。
かくして復号装置２１から出力される復号映像信号をモニタするにつき、当該モニタ映像に目障りなノイズ等が発生することを防止し得る。
【０１２７】
また復号器３８に入力されるＧＯＰデータがＧＯＰデータ単位ごとに非連続である場合、又はＧＯＰデータ単位ごとに間欠して入力される場合において、復号器３８から出力される復号映像信号のうち、それぞれＧＯＰデータ内のＩピクチヤに相当する映像信号のみを選択的に出力することにより、復号器３８に対して非連続又は間欠的に入力されても所望の映像に復号されるＩピクチヤのみによつてモニタ表示することができ、モニタの表示画面として実用上十分な映像を提供し得る。
【０１２８】
（７）他の実施例
なお上述の実施例においては、２フレーム分のデータを１ＧＯＰデータ単位とした場合について述べたが、本発明はこれに限らず、例えば３フレーム分のデータを１ＧＯＰデータ単位とする等、１ＧＯＰデータ単位を構成するフレーム数は種々の数を適用し得る。例えばｎフレームのデータで１ＧＯＰデータを構成する場合、メモリ制御回路３４からスイツチ回路３２に出力されるスイツチ制御信号Ｓ３４Ａを生成する際に、区間信号ＳVINTの立ち下がり時点からフレームサイクル信号ＳF の立ち上がりをｎ回検出するまでの間、当該スイツチ制御信号Ｓ３４Ａを論理「Ｈ」レベルに立ち上げてスイツチ回路３２を開動作させるようにすれば良い。因みにスイツチ回路３２を開動作させる際のスイツチ制御信号Ｓ３４Ａの論理レベルは必ずしも論理「Ｈ」である必要はなく、論理「Ｌ」レベルであつても良い。この場合、スイツチ制御信号Ｓ３４Ａの極性を反転した信号をスイツチ回路３２に入力すれば良い。
【０１２９】
また上述の実施例においては、データ復号装置２１に入力されるモニタ出力信号Ｓ１６Ｍの転送レートが１倍速以外のときにフレームメモリ３９においてＩピクチヤのみを出力するように制御したが、本発明はこれに限らず、当該処理をＧＯＰメモリ３５、３６に対する書込み又は読出しにおいて行うようにしても良い。
【０１３０】
また上述の実施例においては、２フレーム分のデータを１フレーム以内のデータ量に圧縮してなるＧＯＰデータをデータ復号装置２１に入力する場合について述べたが、本発明はこれに限らず、１フレーム以上のデータ量に圧縮されたデータを入力する場合においても本発明を適用し得る。この場合、スイツチ制御信号Ｓ３４Ａを生成する手法として、フレームサイクル信号ＳF の立ち上がりを２回カウントすることに代え、１回カウントした時点でスイツチ回路３２を閉動作させるようなスイツチ制御信号を生成するようにすれば良く、要は入力したデータの転送レートが１倍速を越えている場合においてＧＯＰデータ単位でこれを切り捨てるようにすれば良い。
【０１３１】
また上述の実施例においては、転送レートが 0.5倍速のときフレームメモリ３９においてＩピクチヤだけを出力するようにしたが、本発明はこれに限らず、第１のＧＯＰデータのＢピクチヤの次に間をおいて転送される第２のＧＯＰデータのＩピクチヤを待つてからＢピクチヤを復号処理すれば、Ｂピクチヤ及びＩピクチヤの両方を出力するようにしても良い。
【０１３２】
また上述の実施例においては、データ復号装置２１に入力されるモニタ出力信号Ｓ１６Ｍ（ＧＯＰデータ）の転送レートが１倍速、２倍速及び 0.5倍速である場合についてそれぞれ述べたが、本発明はこれに限らず、例えば 0.3倍速又は 1.3倍速等のように１倍速以下及び１倍速以上の種々の転送レートの信号を入力する場合においても本発明を適用することができる。
【０１３３】
また上述の実施例においては、フレームメモリ３９から出力する復号映像信号Ｓ３９をスイツチヤ１６全体の基準信号ＳREF に同期したタイミングで出力する場合について述べたが、本発明はこれに限らず、種々のタイミングで出力するようにしても良い。
【０１３４】
また上述の実施例においては、スイツチヤ１６を構成する記録再生装置として光磁気デイスクチエンジヤ１８を用いる場合について述べたが、本発明はこれに限らず、ＶＴＲ、ハードデイスク等、他の種々の記録再生装置を用いるようにしても良い。
【０１３５】
また上述の実施例においては、スイツチヤ１６に入力する各系統として光磁気テイスク装置１２から再生された信号Ｓ１２、エンコーダ１３を介して入力された信号Ｓ１３及びＩＳＤＮ回線を介して入力された信号Ｓ１４について述べたが、本発明はこれに限らず、他の種々の信号を適用し得る。
【０１３６】
また上述の実施例においては、データ復号装置２１にＳＤＤＩフオーマツトの信号を入力する場合について述べたが、本発明はこれに限らず、他の種々のフオーマツトの信号を入力する場合に広く適用することができる。この場合、各フオーマツトに応じてそのフレームパルス（同期信号）からフレームサイクル信号ＳF を生成するようにすれば良い。
【０１３７】
さらに上述の実施例においては、スイツチヤ１６を介して記録再生装置（光磁気デイスクチエンジヤ１８）に転送中のものをモニタ出力信号Ｓ１６Ｍとして、データ復号装置２１に送出する場合について述べたが、本発明はこれに限らず、記録再生装置（光磁気デイスクチエンジヤ１８）から再生されたものをスイツチヤ１６の出力切換部１６Ｂのから再生圧縮映像信号（Ｓ１６ＢA 、Ｓ１６ＢB 、……、Ｓ１６Ｂn ）として他のサーバシステム、又は他の記録再生装置等に出力する場合に、当該転送中の信号をモニタ出力信号Ｓ１６Ｍとしてデータ復号装置２１に入力し、これをモニタ表示する場合においても本発明を適用し得る。
【０１３８】
【発明の効果】
上述のように本発明によれば、入力されるデータ信号からフレームサイクル信号及び区間信号を生成して、データ信号に含まれる圧縮データの入力時のレートが復号側での復号処理速度に応じたレートを越える場合、データ信号に含まれる複数の圧縮データのうちの一の圧縮データをメモリに書き込む際に、フレームサイクル信号及び区間信号に基づき、当該書き込む一の圧縮データの開始時点から当該書き込む一の圧縮データに含まれるフレーム分のサイクルが経過するまでの間に開始時点が含まれる、当該書き込む一の圧縮データより後の圧縮データはメモリに書き込まないようにした。この結果、データ信号に含まれる圧縮データの入力時のレートが復号側での復号処理速度に応じたレートを越える場合でも、メモリに書き込んだ圧縮データを復号側での復号処理速度に応じたレートで復号側に入力して復号処理させることができるので、一段と確実に復号処理を損なうことなく復号側での復号処理速度に合ったレートで圧縮データを復号することができ、かくして種々のレートで入力される圧縮データを所定の処理速度に応じたレートで復号処理することができる。
【図面の簡単な説明】
【図１】本発明によるデータ復号方法を適用したサーバシステムの一実施例を示すブロツク図である。
【図２】本発明によるデータ復号方法を適用したデータ復号装置の一実施例を示すブロツク図である。
【図３】１倍速転送時のデータ復号処理の説明に供するタイミングチヤートである。
【図４】２倍速転送時のデータ復号処理の説明に供するタイミングチヤートである。
【図５】   0.5倍速転送時のデータ復号処理の説明に供するタイミングチヤートである。
【図６】非同期転送時のデータ復号処理の説明に供するタイミングチヤートである。
【符号の説明】
１０……サーバシステム、１１……光磁気デイスク、１２……光磁気デイスク装置、１６……スイツチヤ、１６Ａ……入力切換部、１６Ｂ……出力切換部、１８……光磁気デイスクチエンジヤ、２１……データ復号装置、２２……モニタ、３１……ＳＤＤＩ復号回路、３２……スイツチ回路、３４……メモリ制御回路、３５、３６……ＧＯＰメモリ、３８……復号器、３９……フレームメモリ、Ｓ１６Ｍ……モニタ出力信号、Ｓ３４Ａ……スイツチ切換信号、ＳF ……フレームサイクル信号、ＳVINT……区間信号。
【図１】
0003783884.tif 000002
【図２】
0003783884.tif 000003
【図３】
0003783884.tif 000004
【図４】
0003783884.tif 000005
【図５】
0003783884.tif 000006
【図６】
0003783884.tif 000007